(57)【要約】【課題】運転停止時に室外機に収容された電装品への電力供給が遮断される空気調和機では、外気温度が高い場合であっても、電装品に電力が供給されないので、電装品を冷却できない。【解決手段】この空気調和機では、運転が停止された場合（Ｓ１：Ｙｅｓ）、外気温度が所定よりも高いか否かが判断される（Ｓ２）。そして、外気温度が所定よりも高い場合（Ｓ２：Ｙｅｓ）、電装品へ電力が供給され（Ｓ３）、室外ファンが駆動される（Ｓ４）。その結果、運転停止時において外気温度が高い場合に、電装品が冷却される。【選択図】図４
2016183825.tif 000002
【特許請求の範囲】
【請求項１】
室内機と室外機を備えた空気調和機であって、
前記室外機に収容される電装品を有し、
運転停止時において、外気温度または前記電装品の温度が所定よりも高い場合に、前記室内機から前記電装品へ電力が供給され、所定以下の場合に、前記室内機から前記電装品への電力供給が遮断されることを特徴とする空気調和機。
【請求項２】
前記室内機から前記電装品への電力供給が遮断されたあとで、外気温度または前記電装品の温度が所定よりも高い状態に変化した場合、電力供給の遮断が解除されることを特徴とする請求項１に記載の空気調和機。
【請求項３】
前記室外機に収容される室外ファンを有し、
前記電装品が、前記室外ファンによって発生する空気流路に配置されており、
運転停止時において、外気温度または前記電装品の温度が所定よりも高い場合に、前記室外ファンが駆動されることを特徴とする請求項１または２に記載の空気調和機。
【請求項４】
前記電装品の近傍に配置される電装品冷却用ファンを有し、
運転停止時において、外気温度または前記電装品の温度が所定よりも高い場合に、前記電装品冷却用ファンが駆動されることを特徴とする請求項１−３のいずれかに記載の空気調和機。
【発明の詳細な説明】
【技術分野】
【０００１】
本発明は、室外機に収容される電装品を備えた空気調和機に関する。
【背景技術】
【０００２】
従来から、室内機と室外機を備えた空気調和機が知られている。室外機には、室外熱交換器、室外ファン、圧縮機、及び電装品などが収容されている。室外機に収容された電装品は、室内機から電力供給を受けて、室外ファンや圧縮機を駆動制御する。
【０００３】
近年では、省エネニーズの高まりにより、運転停止時に室外機に収容された電装品への電力供給を遮断して（例えば電力供給量を運転時より小さくして）、室外機で無駄な待機電力が生じるのを防止した空気調和機が開発されている。例えば、特許文献１に記載の空気調和機では、室外機に収容された電装品が運転停止信号を受けると、マイコンを停止して、低消費電力となるスリープ状態に移行することが記載されている。
【０００４】
このような空気調和機では、外気温度が低くなって、圧縮機の温度が下がり、液冷媒の溜まり込みなどの問題が生じる恐れがある場合には、運転停止時に電装品に電力を供給して、スリープ状態を解除し、圧縮機の予熱運転を行うことで、液冷媒の溜まり込みを防止している。
【先行技術文献】
【特許文献】
【０００５】
【特許文献１】特開２０１１−２３７１１０号公報
【発明の概要】
【発明が解決しようとする課題】
【０００６】
ところで、空気調和機は、外気温度が高い地域（例えば、外気温度が４６℃以上）で使用される場合が考えられるが、このように外気温度が高い地域では、運転停止時に、日射等により室外機に収容される電装品の温度が高温となって、電装品が故障するおそれがある。しかし、上記のように、運転停止時に電装品への電力供給が遮断される空気調和機では、外気温度が高い場合であっても、電装品に電力が供給されないので、ファンを駆動させることができず、電装品を冷却できない問題がある。
【０００７】
そこで、本発明の目的は、運転停止時において、室外機の消費電力を抑制しつつ、かつ室外機に収容される電装品が高温となるのを防止できる空気調和機を提供することである。
【課題を解決するための手段】
【０００８】
第１の発明にかかる空気調和機は、室内機と室外機を備えた空気調和機であって、前記室外機に収容される電装品を有し、運転停止時において、外気温度または前記電装品の温度が所定よりも高い場合に、前記室内機から前記電装品へ電力が供給され、所定以下の場合に、前記室内機から前記電装品への電力供給が遮断されることを特徴とする。
【０００９】
この空気調和機では、運転停止時において、外気温度または室外機に収容される電装品の温度が所定よりも高い場合に、電装品へ電力が供給され、所定以下の場合に、電装品への電力供給が遮断されるので、外気温度または電装品の温度が高温の場合にファンを駆動して電装品を冷却でき、かつ、外気温度または電装品の温度が高温でない場合に室外機の消費電力を抑制できる。したがって、運転停止時において、室外機の消費電力を抑制しつつ、かつ室外機に収容される電装品が高温となるのを防止できる。
【００１０】
第２の発明にかかる空気調和機は、第１の発明にかかる空気調和機において、前記室内機から前記電装品への電力供給が遮断されたあとで、外気温度または前記電装品の温度が所定よりも高い状態に変化した場合、電力供給の遮断が解除されることを特徴とする。
【００１１】
この空気調和機では、電装品への電力供給が遮断されたあとで、外気温度または電装品の温度が所定よりも高い状態に変化した場合、電力供給の遮断が解除されるので、運転が停止されたあとで、外気温度が高温になった場合であっても、電装品が高温となるのを防止できる。
【００１２】
第３の発明にかかる空気調和機は、第１または第２の発明にかかる空気調和機において、前記室外機に収容される室外ファンを有し、前記電装品が、前記室外ファンによって発生する空気流路に配置されており、運転停止時において、外気温度または前記電装品の温度が所定よりも高い場合に、前記室外ファンが駆動されることを特徴とする。
【００１３】
この空気調和機では、運転停止時において、外気温度または室外機に収容される電装品の温度が所定よりも高い場合に、室外ファンが駆動されるので、電装品が高温となるのを防止できる。また、既存の構成である室外ファンによって、電装品の温度が高温となるのを防止しているので、空気調和機のコストアップを防止できる。
【００１４】
第４の発明にかかる空気調和機は、第１−第３のいずれかの発明にかかる空気調和機において、前記電装品の近傍に配置される電装品冷却用ファンを有し、運転停止時において、外気温度または前記電装品の温度が所定よりも高い場合に、前記電装品冷却用ファンが駆動されることを特徴とする。
【００１５】
この空気調和機では、運転停止時において、外気温度または室外機に収容される電装品の温度が所定よりも高い場合に、電装品冷却用ファンが駆動されるので、電装品の温度が高温となるのを効率的に防止できる。
【発明の効果】
【００１６】
以上の説明に述べたように、本発明によれば、以下の効果が得られる。
【００１７】
第１の発明では、運転停止時において、外気温度または室外機に収容される電装品の温度が所定よりも高い場合に、電装品へ電力が供給され、所定以下の場合に、電装品への電力供給が遮断されるので、外気温度または電装品の温度が高温の場合にファンを駆動して電装品を冷却でき、かつ、外気温度または電装品の温度が高温でない場合に室外機の消費電力を抑制できる。したがって、運転停止時において、室外機の消費電力を抑制しつつ、かつ室外機に収容される電装品が高温となるのを防止できる。
【００１８】
第２の発明では、電装品への電力供給が遮断されたあとで、外気温度または電装品の温度が所定よりも高い状態に変化した場合、電力供給の遮断が解除されるので、運転が停止されたあとで、外気温度が高温になった場合であっても、電装品が高温となるのを防止できる。
【００１９】
第３の発明では、運転停止時において、外気温度または室外機に収容される電装品の温度が所定よりも高い場合に、室外ファンが駆動されるので、電装品が高温となるのを防止できる。また、既存の構成である室外ファンによって、電装品の温度が高温となるのを防止しているので、空気調和機のコストアップを防止できる。
【００２０】
第４の発明では、運転停止時において、外気温度または室外機に収容される電装品の温度が所定よりも高い場合に、電装品冷却用ファンが駆動されるので、電装品の温度が高温となるのを効率的に防止できる。
【図面の簡単な説明】
【００２１】
【図１】本発明の実施形態に係る空気調和機の冷媒回路を示す回路図である。
【図２】図１に示す室外機の内部構成図である。
【図３】図１に示す室外機の室外制御部のブロック図である。
【図４】図１に示す空気調和機の動作を示すフローチャートである。
【図５】図１に示す空気調和機の動作を示すフローチャートである。
【図６】本発明の変形例に係る空気調和機の冷媒回路を示す回路図である。
【発明を実施するための形態】
【００２２】
以下、図面を参照しつつ、本発明の実施形態に係る空気調和機について説明する。
【００２３】
［空気調和機の構成］
図１に示すように、本実施形態の空気調和機１は、室内に設置される室内機２と、室外に設置される室外機３とを有する。この空気調和機１は、圧縮機１０と、四方弁１１と、室外熱交換器１２と、膨張弁（減圧機構）１３と、室内熱交換器１４とを接続した冷媒回路を有する。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。室内機２には、室内熱交換器１４に対向するように配置された室内ファン（クロスフローファン）１５が配置され、室外機３には、室外熱交換器１２に対向するように配置された室外ファン（プロペラファン）１６が配置される。
【００２４】
空気調和機１は、冷房運転、暖房運転、除湿運転、加湿運転などの運転が可能であって、室内機２に配置された図示しない室内制御部によって、いずれかの運転を選択して運転開始操作を行ったり、運転切換操作や運転停止操作を行ったりすることができる。
【００２５】
冷房運転および除湿運転では、図示実線矢印で示すように、圧縮機１０から吐出される冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００２６】
一方、暖房運転では、四方弁１１が切り換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００２７】
室外機３は、図１に示すように、外気温度を検出する外気温度センサ２２を有する。また、室外機３は、図２に示すように、仕切板７によって送風室５および機械室６に仕切られている。送風室５には、室外熱交換器１２および室外ファン１６などが配置される。また、機械室６には、圧縮機１０および膨張弁１３（図１参照）などが配置される。送風室５および機械室６の上方には、機械室６から送風室５にまたがって電装品箱１７が配置される。電装品箱１７には、室外制御部３０を含む電装品２１が収容されている。室外機３の右側面８には、機械室６に外気を取り込むための外気取込口２０が形成されている。この室外機３では、室外ファン１６が駆動されると、外気取込口２０から機械室６に取り込まれた外気が電装品箱１７を通過して、電装品２１を冷却し、送風室５に流入する。送風室５に流入した外気は、送風室５の背面から室外熱交換器１２を通過して送風室５の前面に流れる空気流と合流して、送風室５の前面から室外機３の外側に吹き出される。したがって、電装品２１は、室外ファン１６によって発生する空気流路に配置される。
【００２８】
室外制御部３０には、室外機３（空気調和機１）に係る各種動作の制御プログラムやデータなどが格納されたＲＯＭ、室外機３（空気調和機１）の各部の動作を制御する信号を生成するために各種演算を実行するＣＰＵ、各種設定やＣＰＵでの演算結果などのデータを一時保管するＲＡＭなどの部材が含まれている。この室外制御部３０は、圧縮機１０、膨張弁１３、四方弁１１、室外ファン１６、外気温度センサ２２、および室内機２の室内制御部と通信する通信部２３と電気的に接続されており、圧縮機１０、膨張弁１３、四方弁１１、室外ファン１６などを駆動制御する。
【００２９】
この空気調和機１では、運転が停止されたとき、外気温度が所定温度（例えば４６℃）よりも高い場合、室内機２から電装品２１への電力供給が継続され、室外ファン１６が駆動される。その結果、運転停止時において、外気温度が高温の場合に、室外ファン１６によって発生する空気流によって、電装品２１が冷却され、日射等により電装品２１の温度が高くなることが防止される。
【００３０】
一方、運転が停止されたとき、外気温度が所定温度（例えば４６℃）以下の場合、室内機２から電装品２１への電力供給が遮断される。その結果、運転停止時において、外気温度が高温でなくて、電装品２１の温度が高くなりにくい場合には、室外機３の消費電力（待機電力）を低減することが優先される。
【００３１】
ここで、本実施形態において、「電装品への電力供給が遮断される」とは、電装品２１への電力供給がゼロとなり（完全に遮断され）、電装品２１が停止した状態をいう。したがって、電装品２１への電力供給が遮断された状態においては、室外ファン１６の駆動ができないとともに、外気温度センサ２２による外気温度の検出も行われない。このように、本実施形態では、外気温度が所定温度（例えば４６℃）以下の場合、電装品２１への電力供給がゼロになるので、運転停止時に電装品２１の温度が高くなりにくい場合に、室外機３の消費電力をゼロにできる。
【００３２】
また、この空気調和機１では、運転が停止されたときに、外気温度が所定温度（例えば４６℃）よりも高く、室内機２から電装品２１への電力供給が継続されている場合において、外気温度センサ２２で検出される外気温度が、所定温度以下に変化した場合、室内機２から電装品２１への電力供給が遮断される。その結果、運転が停止したときに、外気温度が所定温度より高くても、その後、外気温度が所定温度以下に変化して、電装品２１を冷却する必要がなくなった場合に、電装品２１への電力供給が遮断されるので、室外機３の消費電力が低減される。
【００３３】
一方、運転が停止されたときに、外気温度が所定温度（例えば４６℃）以下で、室内機２から電装品２１への電力供給が遮断される場合においては、電装品２１への電力供給が遮断されてから（運転が停止されてから）、所定時間が経過するごとに、一時的に室内機２から電装品２１へ電力が供給されて、外気温度センサ２２で外気温度が検出される。そして、検出された外気温度が、所定温度以下から所定温度を超えた状態に変化していた場合、室内機２から電装品２１への電力供給の遮断が解除され、室外ファン１６が駆動される。その結果、運転が停止したときに、外気温度が所定温度より低くても、その後、外気温度が所定温度を超えた状態に変化した場合に、電装品２１の温度が高くなることが防止される。なお、本実施形態において、一時的に室内機２から電装品２１へ電力が供給される状態は、電装品２１への電力供給の遮断された状態であるものとする。
【００３４】
図４及び図５は、空気調和機１の動作を示すフローチャートである。この空気調和機１では、図４に示すように、まず、運転が停止されたか否かが判断される（Ｓ１）。運転中である場合（Ｓ１：Ｎｏ）、ステップＳ１が繰り返される。一方、運転が停止された場合（Ｓ１：Ｙｅｓ）、外気温度が所定温度よりも高いか否かが判断される（Ｓ２）。外気温度が所定温度よりも高い場合（Ｓ２：Ｙｅｓ）、室内機２から電装品２１への電力供給が継続され（Ｓ３）、室外ファン１６の駆動が継続される（Ｓ４）。一方、外気温度が所定温度以下の場合（Ｓ２：Ｎｏ）、室内機２から電装品２１への電力供給が遮断され（Ｓ５）、室外ファン１６が停止される（Ｓ６）。
【００３５】
また、この空気調和機１は、以下のように動作してもよい。この空気調和機１では、図５に示すように、まず、運転停止中であるか否かが判断される（Ｓ１１）。運転中である場合（Ｓ１１：Ｎｏ）、ステップＳ１１が繰り返される。一方、運転停止中である場合（Ｓ１１：Ｙｅｓ）、電力供給遮断中であるか否かを判断する（Ｓ１２）。電力供給遮断中である場合（Ｓ１２：Ｙｅｓ）、外気温度が所定温度よりも高いか否かが判断される（Ｓ１３）。外気温度が所定温度よりも高い場合（Ｓ１３：Ｙｅｓ）、電力供給の遮断が解除される（Ｓ１４）。一方、外気温度が所定温度以下の場合（Ｓ１３：Ｎｏ）、電力供給の遮断が継続される（Ｓ１５）。一方、電力供給遮断中でない場合（Ｓ１２：Ｎｏ）、外気温度が所定温度よりも高いか否かが判断される（Ｓ１６）。外気温度が所定温度よりも高い場合（Ｓ１６：Ｙｅｓ）、電力供給が継続される（Ｓ１７）。一方、外気温度が所定温度以下の場合（Ｓ１６：Ｎｏ）、電力供給が遮断される（Ｓ１８）。
【００３６】
＜本実施形態の空気調和機の特徴＞
本実施形態の空気調和機１には、以下の特徴がある。
【００３７】
本実施形態の空気調和機１では、運転停止時において、外気温度が所定よりも高い場合に、電装品２１へ電力が供給され、所定以下の場合に、電装品２１への電力供給が遮断されるので、外気温度が高温の場合にファンを駆動して電装品２１を冷却でき、かつ、外気温度が高温でない場合に室外機３の消費電力を抑制できる。したがって、運転停止時において、室外機３の消費電力を抑制しつつ、かつ室外機３に収容される電装品２１が高温となるのを防止できる。
【００３８】
また、本実施形態の空気調和機１では、電装品２１への電力供給が遮断されたあとで、外気温度が所定よりも高い状態に変化した場合、電力供給の遮断が解除されるので、運転が停止されたあとで、外気温度が高温になった場合であっても、電装品２１が高温となるのを防止できる。
【００３９】
また、本実施形態の空気調和機１では、運転停止時において、外気温度が所定よりも高い場合に、室外ファン１６が駆動されるので、電装品２１が高温となるのを防止できる。また、既存の構成である室外ファン１６によって、電装品２１の温度が高温となるのを防止しているので、空気調和機１のコストアップを防止できる。
【００４０】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００４１】
（変形例）
上述の実施形態では、運転が停止されたときに、外気温度が所定温度（例えば４６℃）以下であって、室内機２から電装品２１への電力供給が遮断される場合において、電装品２１への電力供給が遮断されてから（運転が停止されてから）、所定時間が経過するごとに、一時的に室内機２から電装品２１へ電力が供給されて、外気温度センサ２２で外気温度が検出される場合について説明した。しかし、いったん電装品２１への電力供給が遮断されると、次の運転が行われるまで、電装品２１に電力が供給されなくてもよい。
【００４２】
また、上述の実施形態では、運転が停止されたときに、外気温度が所定温度（例えば４６℃）以下の場合、電装品２１への電力供給がゼロとなり（完全に遮断され）、電装品２１が停止する場合について説明した。しかし、運転が停止されたときに、外気温度が所定温度（例えば４６℃）以下の場合、室外ファン１６は駆動できないが、外気温度センサ２２が動作できるように、電装品２１への電力供給量を、運転時（室外ファン１６が駆動できる場合）の電力供給量よりも小さくしてもよい。したがって、本発明でいう「電装品への電力供給が遮断される」とは、上記実施形態のように、電装品２１への電力供給がゼロとなる場合の他、電装品２１への電力供給量が運転時よりも小さくされる場合を含む。
【００４３】
これにより、運転が停止されたときに、外気温度が所定以下となって、電装品２１への電力供給が遮断されたあとも、常に、外気温度センサ２２で外気温度を検出できるので、外気温度が所定温度を超えた状態に変化したときに、直ちに電装品２１への電力供給の遮断を解除できる。なお、外気温度センサ２２は、低電力で動作可能であり、外気温度センサ２２を動作するために必要な電力は、室外ファン１６を駆動させるために必要な電力に比べて、十分小さい。
【００４４】
また、上述の実施形態では、運転が停止されたときに、外気温度が所定温度（例えば４６℃）よりも高い場合に、室外ファン１６が駆動される場合について説明したが、図６に示すように、電装品２１の近傍に電装品冷却用ファン２４が配置され、運転が停止されたときに、外気温度が所定温度（例えば４６℃）よりも高い場合に、室外ファン１６に代えて、電装品冷却用ファン２４が駆動されてもよいし、室外ファン１６とともに、電装品冷却用ファン２４が駆動されてもよい。
【００４５】
これにより、運転停止時において、外気温度が所定よりも高い場合に、電装品冷却用ファン２４が駆動されるので、電装品２１の温度が高温となるのを効率的に防止できる。
【００４６】
また、上述の実施形態では、室外機３が外気温度センサ２２を有し、運転停止時において、外気温度が所定よりも高い場合に、電装品２１へ電力が供給され、所定以下の場合に、電装品２１への電力供給が遮断される場合について説明したが、図６に示すように、室外機３が電装品２１の温度を検出する電装品温度検出センサ２５を有し、運転停止時において、電装品温度検出センサ２５で検出された電装品２１の温度が所定よりも高い場合に、電装品２１へ電力が供給され、所定以下の場合に、電装品２１への電力供給が遮断されてもよい。
【００４７】
また、上述の実施形態では、運転が停止されたときに、外気温度が所定よりも高いか否かが判断される場合について説明したが、外気温度が所定よりも高いか否かの判断は、運転が停止されたときに限られず、運転が停止されたあとでもよい。したがって、本発明の「運転停止時において」とは、運転が停止されたときの他、運転が停止されたあとも含む。
【産業上の利用可能性】
【００４８】
本発明を利用すれば、運転停止時において、室外機の消費電力を抑制しつつ、かつ室外機に収容される電装品が高温となるのを防止できる。
【符号の説明】
【００４９】
１  空気調和機
２  室内機
３  室外機
１６  室外ファン
２１  電装品
２５  電装品冷却用ファン
【図１】
2016183825.tif 000003
【図２】
2016183825.tif 000004
【図３】
2016183825.tif 000005
【図４】
2016183825.tif 000006
【図５】
2016183825.tif 000007
【図６】
2016183825.tif 000008